(57)【特許請求の範囲】
【請求項１】
複数のプレートを重ね合わせることで、意匠面にて方向を示す矩形を含む溝部と当該溝部以外の他溝部とを有する成型品の形状に応じたキャビティーと、当該キャビティーに樹脂を流し込むゲートとを形成する工程と、
熱可塑性樹脂100重量部に対して光輝材を0.1から4重量部有する樹脂を前記ゲートを介して前記キャビティーに射出する工程と、
前記樹脂を硬化させる工程と、
前記プレートを分離させて樹脂成型品を取り出す工程とを備え、
前記射出する工程が、前記溝部の前記方向を示す前記矩形の長辺方向を0度とした45度の方向を中心として±30度内の範囲にある前記ゲートから前記樹脂を流し込む、
ことを特徴とするメタリック調樹脂成型品の製造方法。
【請求項２】
前記光輝材のアスペクト比をYとし、前記溝部深さをXd [mm]としたとき、当該アスペクト比Y及び当該溝部深さXdについて、
Y ≧ 30及び  Xd ≧ 0.3との条件を満たし、かつ、
Y ≦ −100Xd ＋ 80
との一次式の条件を満たす範囲内とすることで、前記アスペクト比Yと前記溝部深さXdの一方が大きくなる際には他方を小さくし、
前記プレートを重ね合わせる工程が、当該条件の範囲内とすることで前記溝部深さXdを前記方向の視認性の下限0.3 [mm]より深くしたキャビティーを形成し、
前記射出する工程が、当該条件の範囲内の前記アスペクト比Yの光輝材を含む樹脂を流し込む、
ことを特徴とする請求項１記載のメタリック調樹脂成型品の製造方法。
【請求項３】
意匠面にて方向を示す矩形を含む溝部と当該溝部以外の他溝部とを有する成型品の形状に応じたキャビティーと、このキャビティーに光輝材を含む樹脂を供給するゲートと、流路を介して樹脂を前記ゲートに射出するスプルーと、前記キャビティーを形成する複数のプレートとを備え、
前記ゲートを、前記溝部の前記方向を示す前記矩形の長辺方向を0度とした45度の方向を中心として±30度内の範囲に設け、
前記光輝材のアスペクト比をYとし、前記溝部深さをXd [mm]としたとき、当該アスペクト比Y及び当該溝部深さXdについて、
Y ≧ 30及び  Xd ≧ 0.3との条件を満たし、かつ、
Y ≦ −100Xd ＋ 80
との一次式の条件を満たす範囲内とすることで、前記アスペクト比Yと前記溝部Xdの深さXdの一方が大きくなる際には他方を小さくすると共に、
当該条件の範囲内とすることで前記溝部深さXdを前記方向の視認性の下限0.3 [mm]より深くしたキャビティーを形成した、
ことを特徴とするメタリック調樹脂成型品用の金型。
【発明の詳細な説明】
【技術分野】
【０００１】
本発明は、樹脂成型品を射出成形する技術分野に関連し、特に、外観不良を防止しつつ光輝材によるメタリック感等の意匠性に優れたメタリック調樹脂成型品、その製造方法及び金型に関するものである。
【背景技術】
【０００２】
マニュアル・トランスミッション（MT）の四輪車は、MTの歯車の組み合わせをドライバーが選択するためのシフトレバーを有する。シフトレバーは、車室内のフロアーや、インパネ（計器盤）や、ハンドルを支持するコラムなどに装着される。そして、シフトレバーは、ドライバーが握るシフトノブを備える。シフトノブは、シフトガーニッシュやシフトノブガーニッシュ等といわれる飾り・装飾（ガーニッシュ）を有する。シフトガーニッシュは、MTのギア・ポジション等を示す文字や直線と、色と、意匠性の高いメタリック調の光輝感とを有する。
【０００３】
この四輪車のMTシフトガーニッシュは、運転席の印象を決定づける要素であり、太陽光及び室内光の両者での鑑賞対象となるため、シルバーメタリック色のような非常に意匠性の高い光輝感のある塗装部品が多用されている。しかしながら、塗装により発生する揮発性有機化合物（VOC）には環境負荷があり、近年、排出が規制されている（2004年改正大気汚染防止法等）。このため、シフトガーニッシュについても無塗装化が要請されている。
【０００４】
無塗装化の手法として、顔料や染料などの着色剤で樹脂材料を着色し、射出成形する方法がある。光輝感の高いシルバーメタリック色に着色するためには、樹脂材料にアルミ粉やマイカ粉などの光輝材を添加する手法が一般的であり、特に、意匠性が高いメタリック感やパール感を得るためには、光輝材を添加する必要がある。
【０００５】
しかし、これらの光輝材を添加した樹脂材料は、成形時、金型内での樹脂の衝突や乱流などの発生により流動性が悪化し、光輝材が配向し、「ウエルドライン」や「フローマーク」などの外観不具合が発生し易いことが知られている。
【０００６】
特許文献１には、最大外径10 [μm] から1 [mm] の光輝材0.1から20.0重量部を光輝材粒子平均間隔Ｄとウエルド巾ＨとがＤ≧Ｈとなるように、熱可塑性樹脂100重量部に混合する手法が開示されている。しかしながら、特許文献１記載の手法では、ウエルドラインを抑制させることはできるが、完全に消失させることはできない。また、最大外径10 [μm] 未満の光輝材には適用することができない。
【０００７】
特許文献２には、ウエルド消去剤と呼ばれる酸化チタン、酸化鉛、酸化亜鉛などを樹脂に添加することにより、ウエルドラインの消失を図る手法が開示されている。しかしながら、特許文献２の手法では、コストアップがあり、色合わせが難しくなる、という不都合があった。また、特許文献２には、メタリック調やパール調などの高級色調が得られると記述されているが、ウエルド消去剤を添加すると、実際には、メタリック感は大きく低下する。
【０００８】
特許文献３には、成型品を塗装することなく、メタリック調の成型品を得ることができ、さらに、ウエルドラインが発生しない外観的に優れたポリアミド樹脂成型品を得ることを目的として、アスペクト比3から15で平均粒子径10から300[μm]の金属粉末を0.05から10重量部を添加し、さらに、ウエルドラインを抑制するポリアミド樹脂以外の反応基を有する熱可塑性樹脂（例えばポリエチレンやポリプロピレン）を一定重量部加える手法が開示されている。しかしながら、特許文献３には、成型品に矩形の溝部がある場合や、メタリック感の意匠性の程度については、何ら開示されていない。
【０００９】
【特許文献１】特公平4-27932号公報
【特許文献２】特開平8-239505号公報
【特許文献３】特開2000-86889号公報
【発明の開示】
【発明が解決しようとする課題】
【００１０】
［技術的課題１］上記従来例では、自動車部品のガーニッシュなど意匠面の形状が複雑でありながら高い意匠性が求められる成型品について、塗装と同様なメタリック感及び高い意匠性を確保することが難しい、という不都合があった。
［技術的課題２］さらに、上記従来例では、意匠面に矩形の溝部がある樹脂成型品について高い意匠性を射出成形により得ることができない、という不都合があった。
例えば、MTシフトガーニッシュ等の意匠面に矩形を含む溝部があると、ウエルドラインやフローマーク等の外観不具合が発生し易く、樹脂成形では塗装のような高級感の高いシルバーメタリック調による意匠性の高さを維持することができない、という不都合があった。
すなわち、シルバーメタリック調とするためには、塗装をせざるを得なかった。無塗装化をしようとすると、光輝材が添加されていない黒色などに限定され、この場合、意匠性が低下してしまう、という不都合があった。
【００１１】
［発明の目的］  本発明は、成型品の意匠面に矩形の溝部とその他の溝部とがあるものであっても、当該溝部の視認性及び意匠性と、塗装と同様の高いメタリック感による意匠性とを両立させることのできるメタリック調樹脂成型品の製造方法及び金型を提供することを、その目的とする。
【課題を解決するための手段】
【００１２】
［着眼点］本発明の複数の発明者は、様々な思考、研究及び実験を行い、溝部と外観不具合との関係を究明したところ、光輝材のアスペクト比の範囲と溝部深さの範囲とに条件をつけることで、溝部の意匠性とメタリック感による意匠性とを両立させ、無塗装化が可能となるのではないか、との着想に至った。
【００１４】
［課題解決手段１］実施例１及び２に対応する第１群の本発明は、複数のプレートを重ね合わせることで、意匠面にて方向を示す矩形を含む溝部と当該溝部以外の他溝部とを有する成型品の形状に応じたキャビティーと、当該キャビティーに樹脂を流し込むゲートとを形成する工程と、熱可塑性樹脂100重量部に対して光輝材を0.1から4重量部有する樹脂を前記ゲートを介して前記キャビティーに射出する工程と、前記樹脂を硬化させる工程と、前記プレートを分離させて樹脂成型品を取り出す工程とを備えている。
さらに、前記射出する工程が、前記溝部の前記方向を示す前記矩形の長辺方向を0度とした45度の方向を中心として±30度内の範囲にある前記ゲートから前記樹脂を流し込む、という構成を採っている。
これにより、上記技術的課題を解決した。
【００１５】
［課題解決手段２］実施例１、２及び３に対応する第２群の本発明は、意匠面にて方向を示す矩形を含む溝部と当該溝部以外の他溝部とを有する成型品の形状に応じたキャビティーと、このキャビティーに光輝材を含む樹脂を供給するゲートと、流路を介して樹脂を前記ゲートに射出するスプルーと、前記キャビティーを形成する複数のプレートとを備えている。さらに、前記ゲートを、前記溝部の前記方向を示す前記矩形の長辺方向を0度とした45度の方向を中心として±30度内の範囲に設けている。
そして、  前記光輝材のアスペクト比をYとし、前記溝部深さをXd [mm]としたとき、当該アスペクト比Y及び当該溝部深さXdについて、
Y ≧ 30及び  Xd ≧ 0.3との条件を満たし、かつ、
Y ≦ −100Xd ＋ 80
との一次式の条件を満たす範囲内とすることで、前記アスペクト比Yと前記溝部Xdの深さXdの一方が大きくなる際には他方を小さくすると共に、
当該条件の範囲内とすることで前記溝部深さXdを前記方向の視認性の下限0.3 [mm]より深くしたキャビティーを形成した、という構成を採っている。
これにより、上記技術的課題を解決した。
【発明の効果】
【００１６】
本発明は、本明細書の記載及び図面を考慮して各請求項記載の用語の意義を解釈し、各請求項に係る発明を認定すると、下記のように作用し、上記背景技術等との関連において次の有利な効果を奏する。
【００１８】
［発明の作用効果１］  課題解決手段１の製造方法は、溝部の長辺方向を0度とした45度の方向を中心として±30度内の範囲にある前記ゲートから前記樹脂を流し込む。
このゲート角度で光輝材を含む樹脂を供給すると、他の角度ではウエルドラインやフローマーク等の外観不具合が発生する場合であっても、この外観不具合の程度を低下させ、または防止することができる。
これにより、自動車部品の各種ガーニッシュなど高い意匠性が求められる部品について、塗装を不要とすることができる。
【００１９】
［発明の作用効果２］  課題解決手段２の金型は、ゲートを、前記方向を示す溝部の長辺方向を0度とした45度の方向を中心として±30度内の範囲に設けた。このため、課題解決手段１と同様に、このゲート角度で光輝材を含む樹脂を供給すると、他の角度ではウエルドラインやフローマーク等の外観不具合が発生する場合であっても、この外観不具合の程度を低下させ、または防止することができる。
【発明を実施するための最良の形態】
【００２０】
発明を実施するための最良の形態として、3つの実施例を開示する。実施例１はメタリック調樹脂成型品１１であり、実施例２は図１５等に示すメタリック調樹脂成型品１１の製造方法であり、実施例３は図１６等に示すメタリック調樹脂成型品用の金型である。実施例１から３までを含めて実施形態という。
【００２１】
本実施形態では、非常に高いメタリック感と、非常に高い意匠性とを得るために、従前使用されていないアスペクト比Yの光輝材１０について、ウエルドライン３０及びフローマーク３２が発生しやすい状態にて実験をした（図６、表１及び表２）。さらに、意匠面１２にて矩形となる溝部１４を有する樹脂成型品１１にて成形材料を工夫してウエルドライン３０及びフローマーク３２の発生状況を評価した（図１０、表３及び表４）。その結果、次の要素について、それぞれの範囲とすると、高い意匠性又は非常に高い意匠性を得ることができる。
【００２２】
＜メタリック調樹脂：条件１＞
本実施形態では、高い意匠性を得るために、光輝材１０のアスペクト比Yを、30から50とする。非常に高い意匠性を得るには、アスペクト比Yを40から50とすることが好ましい。
アスペクト比Yを高くするとウエルドライン３０やフローマーク３２など樹脂の流動性に起因する外観不具合が生じる。本実施形態では、意匠面１２にて矩形となる成型品の溝部深さXdを、溝部１４による意匠の視認性の下限となる0.3 [mm] から0.5 [mm] とする。溝部１４である矩形の長辺１８方向の長さによっては、0.3 [mm] から0.4 [mm] とすることが好ましい。
光輝材１０の添加は、熱可塑性樹脂100重量部に対して、0.1から4.0重量部とする。この範囲内では、強度（衝撃強さ）に支障はない（後述表１）。不透明の熱可塑性樹脂（例えば、AES樹脂）の場合、メタリック感との関係では2.0から4.0重量部とすることが好ましいが、透明な樹脂（PMMA樹脂やPC樹脂）では0.1から0.5重量部の間でもメタリック感を確保できる。また、非常に高い意匠性を得るためには1.5重量部から4.0重量部とすることが好ましい。後述表３及び４では2.0重量部とした。
平均粒子径よりもアスペクト比Yがメタリック感に寄与するが、本実施形態では平均粒子径5 [μm] から40 [μm]の範囲とした。5 [μm]であってもアスペクト比Yが高ければ非常に高いメタリック感を得ることができる。一方、平均粒子径を40 [μm]としてもアスペクト比Yを10とするとメタリック感がなくプラスチック感が非常に強い。
【００２３】
上記のように、本実施形態のメタリック調樹脂成型品１１は、熱可塑性樹脂100重量部に対して、アスペクト比Yが30から50の光輝材１０を0.1から4重量部添加し、意匠面１２での矩形を含む溝部深さXdの下限を0.3 [mm] とした（条件１）。
図１を参照すると、条件１は、縦軸のアスペクト比Yと、横軸の溝部深さXdとの関係を、図中点ABCDの範囲とするものである。
【００２４】
メタリック調は、メタリック感をもたらす素材の性質であり、意匠面１２に照射される自然光又は人工光の面及び立体での反射により人間の視覚を刺激する性質である。メタリック調は、光源色（例えばRGB）で特定することも、反射色（マンセルやCMYK）で特定することもできない。少なくとも一定面積での反射の程度とその乱雑さによる。このため、メタリック調の有無及び程度については、物理的な測定ではなく、人間の視覚による測定をする。
【００２５】
塗装の場合には、マンセル表色系やCMYK表色系で特定される反射色と、反射の輝度及び光源位置に応じた影の出具合の変化について非常に意匠性を高くすることができる。一方、樹脂成型品の場合には、色材を添加することで一定の反射色とすることはできるが、上述のように、メタリック調とし、さらに意匠性を高めることは困難であった。
【００２６】
光輝材１０は、アルミ粉等の金属粉や、マイカ粉（雲母）等塗装に用いられる鉱物等の物質や、粉砕ガラス等に金属蒸着した物等を使用することができる。実施例では、アルミ粉を使用する。光輝材１０の形状は、本発明では、球や正多面体ではなく、図２に示すアスペクト比Y=a/bを有する。
【００２７】
熱可塑性樹脂は、汎用樹脂や汎用エンジニアリングプラスチックを使用することができる。汎用樹脂としては、PMMA樹脂（メタクリル樹脂）、ABS樹脂（アクリロニトリル、ブタジエン、スチレンを主成分とする）、ABS樹脂のうちAES樹脂（ブタジエンに代えてエチレン系ゴムを使用）などがある。汎用エンジニアリングプラスチックとしては、PC樹脂（ポリカーボネート樹脂）、PA樹脂（ポリアミド樹脂）などがある。熱可塑性樹脂というときには、これらの樹脂と、目的とする性質や着色のために添加する物質を含む。なお、本実施形態及び実施例では、ウエルド消去剤は使用しない。
【００２８】
図３に、樹脂成型品１１の一部の断面斜視図を示す。樹脂成型品１１は、意匠面１２にて短辺１６と長辺１８とからなる矩形を含む溝部１４を有している。
意匠面１２は、樹脂成型品の外観となる表面であり、平面又は曲面である。意匠面１２の形状は、射出成形の金型のキャビティー５２の形状に対応する。意匠面１２での矩形は、意匠面１２である平面上又は曲面上での長方形である。
【００２９】
矩形を含む溝部１４は、意匠面１２での樹脂成型品の凹部であり、凹部と意匠面１２とが接する平面又は曲面での形状に矩形を含む。この矩形となる長方形の端部に曲率があっても、全体の形状として矩形を含むため、矩形を含む溝部１４となる。
【００３０】
溝部深さXdは、意匠面１２の法線で樹脂成型品の内側に向かう方向での意匠面１２から凹部の底面までの長さである。溝部深さXdは、0.5 [mm] 以内で0.3 [mm] 以上とする。溝部１４の断面形状は、図３に示す矩形としても良いし、図４に示す台形又は楕円の一部としても良い。
【００３１】
・条件１の作用効果
図５を参照すると、溝部１４の溝部深さXdが長い場合には、光輝材１０を含む樹脂の流れ２０と溝部１４の断面形状との関係で、図５の符号２４で示す領域にて光輝材１０が配向し易く、光輝材１０の向きがそろってしまい反射の具合がよろしくなく、外観不具合が発生し易くなってしまう。また、この領域２４では、フローマーク３２が発生し易い。この性質は、溝部１４の長辺１８が長いほど顕著となる。そして、高い意匠性を発揮させる注目されるべき溝部１４の近傍にて外観不具合が発生すると、高い意匠性を確保することができなくなってしまう。すなわち、溝部１４による表現も光輝材１０によるメタリック感の表現もどちらも達成しない。すると、結局、意匠性を得るには塗装によるしかなくなる。
しかし、上述したように条件１では、光輝材１０のアスペクト比Yを３０から５０と高くしつつ、溝部深さXdを条件付けたため、光輝材１０による高いメタリック感を発揮させ、溝部１４近傍の配向性による外観不具合を防止することができる。これにより、自動車部品の各種ガーニッシュなど高い意匠性が求められる部品についても、塗装を不要とすることができる。
【００３２】
＜メタリック調樹脂：条件２＞
条件２及び３は、アスペクト比Yと溝部深さXdとの関係について、条件１をより具体化したものである。
本実施形態の条件２は、アスペクト比をYとし、意匠面１２での矩形を含む溝部深さをXd [mm] としたとき、アスペクト比Yと溝部深さXd [mm] とを次式１又は２の条件を満たす範囲内としたものである。
【００３３】
Y ≧ 30；  Xd ≧ 0.3；  Y ≦ −100Xd ＋ 80  （式１）
【００３４】
再度図１を参照すると、条件２の意匠面１２の溝深さXdと光輝材１０のアスペクト比Yとの範囲は、図中点ACDを結んだ三角形の範囲である。この条件２は、条件１の範囲をXdの一次式で区切り、例えばアスペクト比Y=50で溝深さ0.5 [mm] の組み合わせ等の点ABCを頂点とする三角形の範囲を除外したものである。この条件２では、矩形を含む溝部１４と当該溝部１４の長辺１８より短く他の意匠のための溝部（他溝部１５という。図１０参照）とがあるような複雑な成型品であっても、高い意匠性を確保しつつ樹脂の流動性による外観不具合を防止することができる。
【００３５】
式（１）は、Xd=0.5のときにY=30であり、Xd=0.3のときにY=50であることから、Y=a Xd + b の連立方程式をたててa, bについて解くことで求められる。意匠面１２に溝部１４や他溝部１５が多数あるような際に、外観不具合を安定して防止する観点からは、アスペクト比Yの上限を40としても良い。一方、溝深さの下限の0.3 [mm] は視認性により定まる値であるため、Xd = 0.3 [mm] の際にアスペクト比Yの上限は40となる。この連立方程式を解くと、式１に代えて次式２を得る。
【００３６】
Y ≧ 30；  Xd ≧ 0.3；  Y ≦ −50Xd ＋ 55  （式２）
【００３７】
同様に、アスペクト比Yの上限を調整する際には、溝深さの下限と対応づけて連立方程式を解き式１及び式２に相当する式を導出すれば良い。
式１、式２及び当該導出する式を、アスペクト比関数という。アスペクト比関数は一次式である。
【００３８】
・条件２の作用効果
溝部深さXdを上記式１又は式２により、アスペクト比Yに応じた長さとする条件２は、アスペクト比Yと溝部１４の深さXdの一方が大きくなる際には他方を小さくする条件（アスペクト比関数）であるため、樹脂成型品１１が、複数の溝部１４が交差するような複雑な意匠面１２や、意匠面１２で矩形となる溝部１４以外に文字やマーク等の他溝部１５を有するような複雑な意匠面１２を有していても、非常に高い意匠性を確保しつつ外観不具合の発生を防止することができる。これにより、複雑な意匠面１２を持つガーニッシュであっても、塗装を不要とすることができる。
【００３９】
＜メタリック調樹脂：条件３＞
本実施形態の条件３は、光輝剤１０の平均粒子径を 5 [μm] から20 [μm] としたものである。
【００４０】
すなわち、条件３は、光輝剤１０の平均粒子径を最適化するものである。下限を5 [μm] としたのは、この平均粒子径よりも小さい粒子径の光輝剤１０を使用すると、外観不具合が発生しやすいためである。すなわち、例えば1 [μm] の光輝剤１０を同一重量部添加すると、5 [μm] の場合と比較してメタリック調が同程度であるにもかかわらず、粒子数が増加することで、外観不具合が目立ちやすくなる。
【００４１】
また、平均粒子径の上限を 20 [μm] としたのは、この平均粒子径でアスペクト比30程度を得ることができることによる。すなわち、平均粒子径27 [μm]とすると、アスペクト比が低くなるためか、メタリック感が低下する。すなわち、アスペクト比と無関係に平均粒子径のみを大きくしても、メタリック感の向上は得られない。
【００４２】
・条件３の作用効果
条件３では、平均粒子径を5 [μm] から20 [μm] としたことで、平均粒子径を比較的小さめとすることで低コストとしつつ、アスペクト比によるメタリック感を得ることができる。
【００４３】
上述したように本実施形態によると、アスペクト比Yが約30から50の範囲の光輝材１０を添加した樹脂材料とし、意匠面１２に溝部１４がある部品を成形するとき、光輝材１０のアスペクト比Yと溝深さが、図1に示す斜線の範囲内で成形することにより、部品の視認性を確保しながら、ウエルドライン３０およびフローマーク３２の発生を防止することができる。
【００４４】
この樹脂材料の工夫により、本実施形態では、従来外観不具合の問題で量産化が困難であった光輝感の高い光輝材１０（アスペクト比Yが30から50）を添加した樹脂材料を使用することができる。従って、塗装をしなくても塗装のようなメタリック感と高い意匠性とを得ることができる。これにより、塗装を不要とし、塗装にて発生する揮発性有機化合物（VOC）の発生及び排出を無くすことができる。また、塗装工程を不要とできるため、工程数削減およびコストダウンが可能となる。
【実施例１】
【００４５】
次に、本実施形態の実施例１を開示する。実施例１では、上記条件１から３を詳細に説明し、加えて、条件４を適用する。まず、光輝材１０の添加量（重量部）を検討し、次に、条件４となるゲート角度を説明する。この条件４は、実施例２（製造方法）及び実施例３（金型）の特徴ともなる。
【００４６】
＜光輝材添加量（重量部）＞
図６に示すテストピース２８を作製し、アスペクト比Yの大きい光輝材１０を含む樹脂成型品を試作して、光輝材１０の添加量と強度との関係を確認した。また、テストピース２８には、ウエルドライン３０の発生程度を評価できるように、穴部２９を設けた。そして、ゲート２６近傍にてフローマーク３２を発生しやすくした。熱可塑性の基本樹脂として上記AES樹脂を選定し、着色剤を添加した。
光輝材１０の添加量は、材料の耐衝撃性、着色の発色性、材料コストを考慮して選定する必要がある。光輝材１０の添加量を増大させるにつれて、メタリック感は高くなり高級感のあるメタリック調を確保できるが、耐衝撃性が低下し、材料コストも高くなる。このため、より少ない添加量でメタリック感を得ることが望まれる。
【００４７】
AES樹脂及びその他の材料100重量部に対して、効果的な光輝材の添加量を特定するために、光輝材１０（平均粒子径5μm、アスペクト比Yを約30）を0.5、1.0、2.0、4.0重量部添加し、シャルピー衝撃強さ、メタリック感およびウエルドライン３０やフローマーク３２などの外観不具合の発生程度を評価した。シャルピー衝撃強さは、破壊をもたらすエネルギーで表され、その評価は、ISO 179（タイプAノッチISO179/1eA、23℃）に従い行った。この結果を表１に示す。
【００４８】
【表１】
0005463622.tif 000002
【００４９】
シャルピー衝撃強さ（23℃）は、光輝材を添加することにより低下した。しかし、添加量0.5〜4重量部の範囲内で値に有意差は見られず、シフトガーニッシュで使用する上で支障はない範囲となった。メタリック感については、1.0重量部では確保できず、2.0重量部以上添加する必要があった。なお、AES樹脂は、基材が不透明のため、最低2.0重量部添加する必要があったが、PMMA樹脂やPC樹脂のような基材が透明の樹脂については、光輝材１０の添加量が0.1〜0.5重量部でもメタリック感を確保できる。ウエルドライン３０およびフローマーク３２については、0.5〜4.0重量部の範囲では、発生の程度に差は見られなかった。以上の結果から、光輝材の添加量を2重量部に決定した。
【００５０】
光輝材の添加量を２重量部として、他の要素を変化させた成形材料の詳細を表２に示す。基材樹脂はAES樹脂を選定し、平均粒子径およびアスペクト比Yが異なる4種類の光輝材を添加した。表２に示すように、アスペクト比Yが大きいほどメタリック感があり意匠性が高くなるが、ウエルドライン３０やフローマーク３２などの外観不具合が発生し易い。
【００５１】
【表２】
0005463622.tif 000003
【００５２】
＜条件４：ゲート角度＞
次に、樹脂成型品の溝部１４と、ゲート位置（角度）と、射出成形時の樹脂の流動性との関係を説明する。
図７は、意匠面１２の溝の長辺方向にゲートを配置した一例を示す説明図である。溝部１４は、短辺１６と長辺１８とを有する。長辺１８方向に向けて樹脂を供給する角度にゲート２６を配置すると、樹脂の流れは、溝部１４の外側で速い樹脂流れ２０Aとなり、溝部１４の内側で遅い樹脂流れ２０Bとなる。その結果、ゲート２６型とは逆の長辺１８の端部にて、流動している樹脂の衝突が発生し、この衝突位置が特定の領域内となりやすく、かつ、比較的速い速度での衝突となるため、ウエルドライン３０が発生しやすい。
【００５３】
図８は、意匠面１２の溝の短辺方向にゲートを配置した一例を示す説明図である。この例では、短辺１６方向に向けて樹脂を供給する角度にゲート２６を配置すると、樹脂の流れは、同様に、溝部１４の外側で速い樹脂流れ２０Aとなり、溝部１４の内側で遅い樹脂流れ２０Bとなる。しかし、樹脂の衝突位置が特定の領域内とならず衝突速度も比較的遅いため、ウエルドライン３０は図７との比較では発生しづらい。特に、溝部１４の内部での樹脂流れの速さ低下時間が短く速さの差が小さく、そして、溝部１４の外側で短辺１６の近傍の速い樹脂流れ２０Aが衝突するまでに、溝部１４内の遅い樹脂流れ２０Bとほぼ同様の速度となる配置と考えられ、樹脂の衝突の強さを弱める。図８に示す角度では、溝部深さXdによっては、図５に示す符号２４でのフローマーク３２等の外観不具合が発生し易い。
【００５４】
次に、溝部の長辺１８及び短辺１６と樹脂流れ２０との角度を調整するために、ゲート位置（ゲート角度）の最適化を試みる。ウエルドライン３０は樹脂の衝突速度と衝突領域の大きさとを要因として発生する。これらから、樹脂流れを速度ベクトルとして検討し、溝部１４の存在にかかわらず樹脂の流れ速度を均質化することが望ましい。また、溝部１４の内部では樹脂流れが遅くなるという性質を加味するようにしてもよい。
【００５５】
図９に溝部１４とゲート位置の関係（ゲート角度）を示す。図９の白抜き矢印で示す３つのゲート２６から樹脂を供給することとし、各ゲート位置を、溝部１４の長辺１８方向に対する角度として、９０度、７０度及び４５度とした。この各ゲート角度での樹脂の流れの速度ベクトルは図９に示す通りとなる。第１ゲート２６Ａは、図８に示すゲートと同様の配置である。第３ゲート２６Cは、長辺１８方向に対して４５度方向の角度を形成する。第２ゲート２６Bは、第１ゲート２６Aと第３ゲート２６Cによる角度の範囲内で、やや第３ゲート２６Cの角度側とした。この例では、第３ゲート位置２６Cの４５度では速度ベクトルが短くなるため、ウエルドライン３０の発生を最も抑制できると考えられる。
【００５６】
図１０にMTシフトガーニッシュの一例を示す。MTシフトガーニッシュは、図１０（A）に示すように、シフトレバーの操作位置と方向を示す図中縦方向及び横方向の矩形を含む溝部１４、文字を表示するための他溝部１５とを備えている。他溝部１５は、ギアポジションを示す１から５までの数字と、後進のポジションを示すRとである。図１０（B）は、図１０（Ａ）のAA断面図である。樹脂成型品１１の引っ掛け部１３は、アンダーカットとなるが、スライドコアで抜きだし、当該引っ掛け部１３により当該ガーニッシュを装着する。
【００５７】
図１１に示すように、シフトガーニッシュには、図中縦方向の矩形を含む縦溝部１４ａと、横方向の横溝部１４ｂと、文字を表す他溝部１５とがある。縦溝部１４ａは、端部に曲率を有するが、長辺１８及び短辺１６からなる矩形を含むため溝部１４である。横溝部１４ｂは、端部が他の溝部と接合しているが、同様に矩形を含むため溝部１４である。
【００５８】
図１２に示す例では、シフトガーニッシュの中心位置の図中上下方向の縦溝部１４ａを軸として、図９に示す３種類のゲート角度で射出できるように金型を作製した。図１２に示すように、第１ゲート２６Aは、横直線１４bの延長線上の端部に設置し、第２ゲート２６Bおよび第３ゲート２６Cは、部品中心部に対して、第１ゲート２６Aからそれぞれ22.5度、45度となる位置に設置した。
【００５９】
表２に示す４種類の材料を用いて、各ゲート２６から射出した場合におけるウエルドライン３０およびフローマーク３２の有無を評価した。溝深さXｄは、視認性の下限と考える0.3 [mm] と視認性がより良好な0.4 [mm]、0.5 [mm] の3通りである。その結果を表3及び表4に示す。
【００６０】
【表３】
0005463622.tif 000004
【００６１】
【表４】
0005463622.tif 000005
【００６２】
成形材料[1]（平均粒子径40μm、アスペクト比Y約10）で成形したときは、溝深さおよびゲート位置に関係なく、溝形状部からウエルドライン３０およびフローマーク３２は発生しなかった。しかし、外観は、メタリック感が全く無く、プラスチック感が非常に強かった。
【００６３】
成形材料[2]（平均粒子径5μm、アスペクト比Y約30）で成形したときは、溝深さ0.3 [mm] と0.4 [mm] では、いずれのゲート２６から射出しても、ウエルドライン３０およびフローマーク３２は発生しなかった。しかし、溝深さが0.5 [mm] では、第１ゲート２６Aから射出したときに、ウエルドライン３０およびフローマーク３２が発生した。外観については、メタリック感があり、塗装部品と同等の意匠性が得られた。
【００６４】
成形材料[3]（平均粒子径10μm、アスペクト比Y約40）で成形したときは、溝深さ0.3 [mm]、0.4 [mm] では、第１ゲート２６Aから射出したときのみウエルドライン３０が発生した。溝深さが0.5 [mm] では、いずれのゲート２６から射出してもウエルドライン３０およびフローマーク３２が発生した。外観については、成形材料[2]よりもさらに明度が高く、非常にメタリック感があり、塗装部品と同等の意匠性が得られた。
【００６５】
成形材料[4]（平均粒子径20μm、アスペクト比Y約50）で成形したときは、溝深さ0.3 [mm] では、第１ゲート２６Aから射出したときのみウエルドライン３０が発生した。溝深さが0.4 [mm] と0.5 [mm] では、いずれのゲート２６から射出してもウエルドライン３０およびフローマーク３２が発生した。外観については、成形材料[2]よりもさらに明度が高く、非常にメタリック感があり、塗装部品と同等の意匠性が得られた。
【００６６】
なお、本評価結果から、ウエルドライン３０は、樹脂の流動方向が溝部の長辺方向と平行方向に流動した場合に発生し易く、また長辺方向が長いほど発生し易いという傾向がある。フローマーク３２においては、樹脂の流動方向が溝形状部の長辺方向と直交方向に流動した場合に発生し易く、また長辺方向が長いほど発生し易いという傾向がある。成形時は、極力、溝形状部の長辺方向と水平方向あるいは垂直方向に樹脂が流動しないような位置にゲートを設置することが望ましい。
【００６７】
・第１ゲート２６Aと第２ゲート２６Bの相違
表３及び４の成形材料[2]では、溝深さXdが0.5 [mm] のとき、第１ゲート２６Aと２６Bとで不具合発生の結果が異なっている。また、成形材料[3]の溝深さXdが0.4 [mm] 及び0.5 [mm] のとき、ウエルドライン３０の発生結果が異なっている。
このため、ゲート角度として、前記溝部の長辺方向を0度とした45度の方向を中心として±30度内の範囲とすると、アスペクト比Y及び不具合発生を防止することができる。この角度の範囲を図９のθ1で示す。なお、ゲート２６Cの角度が「溝部の長辺方向を0度とした45度の方向」であり、45度に90度を加算する角度は同一角度である。この方向の前後30度内の範囲がθ1である。
【００６８】
・第２ゲート２６Bと第３ゲート２６Cの相違
表３では、成形材料[3]で溝深さXdが0.5 [mm]の際、溝部１４ｂのウエルドライン３０発生結果が異なっている。また、成形材料[4]で溝深さXdが0.4 [mm] 及び0.5 [mm] のとき、溝部１４ｂでのウエルドライン３０の発生結果が異なっている。
表４では、成形材料[4]で溝深さXdが0.4 [mm] 及び0.5 [mm] のとき、フローマーク３２の発生結果が異なっている。
このため、 ゲート角度として、前記溝部の長辺方向を0度とした45度の方向を中心として±10度内の範囲とすると、アスペクト比Y及び不具合発生を防止することができる。この角度の範囲を図９のθ2で示す。
【００６９】
・条件４の作用効果
以上より、条件４での樹脂流動角度θ1又はθ2を適用すると、アスペクト比Yの大きい光輝材を使用することで非常に高い意匠性を発揮させつつ、ウエルドライン３０及びフローマーク３２等の外観不具合を有効に防止することができる。そして、光輝材のアスペクト比Yと樹脂成型品の肉厚Xtに対する溝深さXdを、条件２の範囲内で成形することにより、部品の視認性を確保しながら、ウエルドライン３０およびフローマーク３２の発生を防止することができ、さらに塗装と同等の意匠性の高い部品を得ることができる。
【００７０】
この条件４及び条件４と条件２の組み合わせは、樹脂部品の無塗装化などにより、部品外観の良化が必要となる場合に応用できる。特に、アルミ粉やマイカ分などの光輝材を添加した成形材料における樹脂部品の無塗装化に応用できる。
【実施例２】
【００７１】
次に、本実施形態の実施例２を開示する。
＜製造方法：条件４＞
図１３は実施例２及び３で使用するプレート５０の一例を示す一部断面図である。プレート５０は、図示しない他のプレートと重ね合わせることで、図１０に示す意匠面１２に応じた形状のキャビティー５２を形成する。キャビティー５２内に樹脂が供給され、充填し、冷却等により硬化することで製品（樹脂成型品、例えばMTシフトガーニッシュ）を成形する。
また、溝部１４の長辺１８方向との関係で樹脂の供給角度（ゲート角度）を条件４でのθ1及びθ2の範囲内とするために、射出成形装置のランナー５４とプレート５０とを接続するゲートを図１３に示す角度（４５度）で配置している。
【００７２】
図１４を参照すると、実施例２の製造方法は、まず、複数のプレート５０を重ね合わせることで、意匠面１２での矩形を含む溝部１４を有する成型品１１の形状に応じたキャビティー５２と、当該キャビティーに樹脂を流し込むゲート２６とを形成する（ステップS１）。
【００７３】
次に、熱可塑性樹脂100重量部に対してアルミ粉等の光輝材を0.1から4重量部有する樹脂を前記ゲート２６を介して前記キャビティー５２に射出する（ステップS２）。このとき、実施例２では、ゲート角度を、前記溝部の長辺方向を0度とした45度の方向を中心として±30度内（図９に示すθ1）の範囲とし、この角度の前記ゲート２６から前記樹脂を流し込む。また、意匠面１２の複雑さやメタリック比Yをより大きくし非常に高い意匠性を発揮させる際には、このゲート角度を±10度内（図９に示すθ2）とすると良い。
【００７４】
続いて、前記樹脂を冷却等により硬化させ（ステップS３）、プレート５０を分離させて樹脂成型品を取り出す（ステップS４）。
【００７５】
このゲート角度θ1又はθ2の範囲内で光輝材１０を含む樹脂を供給すると、他の角度（例えば図９のゲート２６Aの角度）ではウエルドライン３０やフローマーク３２等の外観不具合が発生する場合であっても、この外観不具合の程度を低下させ、または防止することができる。
【００７６】
＜製造方法：条件４、条件２及び３＞
樹脂成型品の製造方法として、非常に高い意匠性を得るために、成形材料、溝部深さXd及びゲート角度を最適化しても良い。この場合、上述した条件２に従って、アスペクト比Yと溝部深さXdとを一定の範囲内とする。
すなわち、前記光輝材のアスペクト比をYとし、前記溝部深さをXd [mm] としたとき、当該アスペクト比Y及び溝部深さXdについて、上記式１又は２の範囲内とする。すなわち、条件２の範囲内とする。溝部の深さは金型のプレートにより実現される。
この場合、図１４に示すステップS１にて、プレートを重ね合わせると、上記条件２又は３の範囲内となる溝部深さXdを含むキャビティー５２を形成する。そして、ステップS２にて、条件２又は３の範囲内となる当該アスペクト比Yの光輝材を含む樹脂を流し込む。
そして、光輝剤１０の平均粒子径は、条件３の範囲内とすると良い。
【００７７】
この条件２，３及び４の範囲内とすると、意匠面１２の形状が図１０に示すように複雑であっても、表３及び４に示すように外観不具合の発生を防止することができる。
【実施例３】
【００７８】
次に、本実施形態の実施例３を開示する。
＜金型：条件４＞
図１５は、樹脂成型品を２個取りする金型の一例を示す説明図であり、一方のプレート５０に樹脂成型品を乗せた状態を示す平面図である。図１５に示すように、実施例３のメタリック調樹脂成型品用の金型は、意匠面１２での矩形を含む溝部１４を有する成型品１１の形状に応じたキャビティー５２と、このキャビティー５２に光輝材１２を含む樹脂を供給するゲート２６と、流路（ランナー）５４を介して樹脂を前記ゲートに射出するスプルー５６と、前記キャビティー５２を形成する複数のプレート５０と、を備えている。
【００７９】
そして、実施例３では、条件４として、前記ゲート２６を、前記溝部の長辺方向を0度とした45度の方向を中心として±30度内（図９に示すθ1）の範囲に設けている。また、意匠面１２の複雑さやメタリック比Yをより大きくし非常に高い意匠性を発揮させる際には、このゲート角度を±10度内（図９に示すθ2）とすると良い。
【００８０】
図１６に、図１５のAA線での断面図を示す。２つのプレート５０を重ね合わせ、パーティング５８を一致させるようにプレートを重ね合わせると、キャビティー５２が形成される。図１４に示す製造方法にてこのキャビティー５２に光輝材１０を添加した樹脂を注入し、硬化させると樹脂成型品１１となる。続いて、図１６の上下方向にプレート５０を分離し、樹脂成型品を取り出す。
【００８１】
図１７に、図１５に示す金型を組み合わせ４個取りとする実施例３での合理的な金型を示す。この例では、金型の面積及び体積を最小としつつ１度の成形で４個取りをすることができるため、生産性をより向上させることができる。
【００８２】
また、図１７に示す例では、金型は、スプルー５６を中心として、スプルー５６から同一距離で、かつ、４５度間隔に４つのキャビティー５２を有し、スプルー５４からキャビティー５２に樹脂を供給する同一の形状及び長さの流路（ランナー）５４を４５度間隔に有し、このランナー５４はキャビティー５２へのゲート２６と接続されている。そして、各ゲートの方向に応じて、キャビティー５２での樹脂成型品の方向を条件４のゲート角度θ1又はθ2の範囲内になるようキャビティー５２の方向を定めている。
【００８３】
図１７に示す例では、樹脂成型品の数字「３」を上部、数字「４」を下部として、この上下方向に対して135度（45度+90度）となるようにキャビティー５２での意匠面１２の向きを定めている。これにより、４個取りの金型としつつ、全てのキャビティー５２にてゲート角度を同一としつつ、金型の面積を最小とすることができる。
さらに、４つのキャビティー５２へのランナー５４を４５度間隔で同一形状及び同一長さとしているため、樹脂の供給状態や熱変化を同一とすることができる。
【００８４】
なお、８個取りや１６個取りとする場合、金型及び成型機をスケールアップしなければならなくなる。そして、スケールアップすると、ランナー５４が長くなり、ランナー５４の途中で樹脂の一部が冷え、その冷えた樹脂が後から充填される樹脂に押されて製品に入ると、冷えた樹脂の塊のようなものが意匠面１２に現れ、外観不具合となる。そして、流動長が長くなると、樹脂によってはショートショット（未充填）が発生してしまい歩留まりが悪化する。
この点、図１７に示す構成では、複数個取りとしてもランナー５４の長さは短く、かような不都合は生じない。
【００８５】
＜金型：条件４、条件２及び３＞
また、樹脂成型品用の金型として、実施例２と同様、非常に高い意匠性を得るために、成形材料及び溝部深さXdとを最適化しても良い。この場合、上述した条件２又は３に従って、アスペクト比Yと溝部深さXdとを一定の範囲内とする。
すなわち、前記光輝材１０のアスペクト比をYとし、前記溝部深さをXd [mm] としたとき、当該アスペクト比Y及び溝部深さXdについて、上記式１又は２の範囲内とする。すなわち、条件２の範囲内とする。アスペクト比Yは成形材料として実現する。
この場合、図１０（B）に示す溝部深さXdをアスペクト比Yに応じて実施例３の金型のプレート５０により調整する。
光輝剤１０の平均粒子径については、条件３の範囲内とすると良い。
【００８６】
この条件２，３及び４の範囲内とすると、意匠面１２の形状が図１０に示すように複雑であっても、表３及び４に示すように外観不具合の発生を防止することができる。
【図面の簡単な説明】
【００８７】
【図１】本発明での意匠面の溝深さと光輝材のアスペクト比との範囲を示す説明図である。（実施例１から３）
【図２】アスペクト比の定義例を示す説明図である。（実施例１から３）
【図３】樹脂成型品の溝部部分の一部断面形状の一例を示す一部断面の斜視図である。（実施例１から３）
【図４】溝部の断面形状の他の例を示す断面図である。（実施例１から３）
【図５】溝部深さと外観不具合の関係を示す説明図である。（実施例１から３）
【図６】テストピースの一例を示す説明図である。（実施例１から３）
【図７】溝部の長辺方向に樹脂を流す例を示す説明図である。（実施例１）
【図８】溝部の短辺方向に樹脂を流す例を示す説明図である。（実施例１）
【図９】意匠面の溝とゲートとの関係例を示す説明図である。（実施例１）
【図１０】MTシフトガーニッシュの意匠面の一例を示す説明図であり、（Ａ）は平面図、（B）は断面図である。（実施例１から３）
【図１１】MTシフトガーニッシュの意匠面に含まれる溝部を示す説明図である。（実施例１）
【図１２】MTシフトガーニッシュの金型とゲートとの関係例を示す説明図である。（実施例１から３）
【図１３】プレートの一例を示す説明図である。（実施例２及び３）
【図１４】本発明の製造方法の一例を示すフローチャートである。（実施例２）
【図１５】本発明の２個取りの金型の一例を示す説明図である。（実施例３）
【図１６】図１５に示す金型の断面図である。（実施例３）
【図１７】本発明の２個取りの金型の一例を示す説明図である。（実施例３）
【符号の説明】
【００８８】
Y  アスペクト比
Xd  溝部深さ
Xt  成型品の肉厚
θ1，θ2  ゲート角度
１０  光輝材
１１  メタリック調樹脂成型品
１２  意匠面
１４  溝部
１４ａ  縦溝部
１４ｂ  横溝部
１５  他溝部
１６  短辺
１８  長辺
２０  樹脂流れ
２０A  速い樹脂流れ
２０B  遅い樹脂流れ
２６  ゲート
２６A  第１ゲート
２６B  第２ゲート
２６C  第３ゲート
２８  テストピース
２９  穴部
３０  ウエルドライン
３２  フローマーク
５０  複数のプレート
５２  キャビティー
５４  流路（ランナー）
５６  スプルー
５８  パーティング
【図１】
0005463622.tif 000006
【図２】
0005463622.tif 000007
【図３】
0005463622.tif 000008
【図４】
0005463622.tif 000009
【図５】
0005463622.tif 000010
【図６】
0005463622.tif 000011
【図７】
0005463622.tif 000012
【図８】
0005463622.tif 000013
【図９】
0005463622.tif 000014
【図１０】
0005463622.tif 000015
【図１１】
0005463622.tif 000016
【図１２】
0005463622.tif 000017
【図１３】
0005463622.tif 000018
【図１４】
0005463622.tif 000019
【図１５】
0005463622.tif 000020
【図１６】
0005463622.tif 000021
【図１７】
0005463622.tif 000022